(57)【特許請求の範囲】
【請求項１】
ヘッダー本体、及びヘッダー本体に接続された分岐管からなる配管用ヘッダーにおける、前記分岐管内部に管の長手方向に対して垂直になるように５〜３０メッシュスクリーンもしくは１〜７ｍｍの穴が設けられたプレートが配置されてなる凍結防止の為の水抜きが可能な配管用ヘッダーを、その分岐管側を上方にして、住宅の土間コンクリートの上面よりも低い位置に配置すると共に、
ヘッダーに接続された分岐管を土間コンクリート上に立ち上げて這うように巡らせて対応する水回り設備に接続し、
前記ヘッダー配置位置と同一レベル以下の位置で排水する残水排出機構を、前記ヘッダーに接続した寒冷地住宅用給水配管システム。
【発明の詳細な説明】
【０００１】
【発明の属する技術分野】
本発明は、可とう性管を用いたヘッダー工法において、ヘッダー部を土間コンクリートレベルより低い位置に配置し、勾配を有しない配管により水抜きを行う場合に使用する水抜き配管用ヘッダー、及びそれを用いた寒冷地住宅用給水配管システムに関する。
【０００２】
【従来の技術】
従来より、住宅において、ヘッダー工法を採用した給水管装置が提案されている。上記ヘッダー工法は、給水・給湯主管をそれぞれヘッダーに接続すると共に、ヘッダーからたこ足状に分岐させた分岐管を各水回り設備の水栓へ、一対一で接続するものである。このようなヘッダー工法による配管は、給水・給湯主管から継手を介して順次枝状に分岐させた分岐管を各水回り設備の水栓に接続する先分岐工法による配管に比べて、接続箇所が少なくて済み、施工不良による漏水を格段に抑えることが出来ると共に、各水回り設備の同時使用に際しても流量変化が少なく、安定した給水給湯が可能である利点がある。
【０００３】
上記ヘッダー工法で分岐管を配管する場合、寒冷地においては凍結防止のために、屋内に引き込まれた分岐管内の水を抜くことが出来るようにする必要がある。この方法として、ヘッダー部を土間コンクリートレベルより低い位置に配置し、勾配を有しない配管方法が挙げられる。
【０００４】
【発明が解決しようとする課題】
しかしながら、上記ヘッダー工法で水抜きをする場合、水栓を開けることにより吸気を取っていくと、１栓水を抜くと他の分岐管へエアーが逆流するようになり、順次水栓を開放していっても水が抜けないという問題があった。本発明は、上記問題に鑑みてなされたものであり、水栓を一栓毎開放していっても分岐管へエアーが逆流することがなく水抜きが可能である水抜き配管用ヘッダー、及びそれを用いた寒冷地住宅用給水配管システムを提供することを目的とする。
【０００５】
【課題を解決するための手段】
請求項１記載の発明は、ヘッダー本体、及びヘッダー本体に接続された分岐管からなる配管用ヘッダーにおける、前記分岐管内部に管の長手方向に対して垂直になるように５〜３０メッシュスクリーンもしくは１〜７ｍｍの穴が設けられたプレートが配置されてなる凍結防止の為の水抜きが可能な配管用ヘッダーを、その分岐管側を上方にして、住宅の土間コンクリートの上面よりも低い位置に配置すると共に、ヘッダーに接続された分岐管を土間コンクリート上に立ち上げて這うように巡らせて対応する水回り設備に接続し、前記ヘッダー配置位置と同一レベル以下の位置で排水する残水排出機構を、前記ヘッダーに接続した寒冷地住宅用給水配管システムである。
【０００６】
上記メッシュスクリーンが５メッシュ未満では、エアーの逆流を防止することが出来ず、３０メッシュを超えると、エアーの逆流は防止することは出来るが水流の抵抗になり、配管内のゴミを捕獲するため目詰まりを起こしやすく長期の使用で通水出来なくなる。
【０００７】
上記スクリーンを構成する線としては、水道水との接触により錆が発生することのない材質のものが衛生上好ましく、例えば、１８−８ステンレス（ＳＵＳ  ３０４）等が挙げられる。線径としては、１ｍｍ以下のものが好ましく、より好ましくは０．５ｍｍ以下である。
【０００８】
上記１〜７ｍｍの穴を開けたプレートでは、１ｍｍ未満の穴では、水流の抵抗になり配管内のゴミを捕獲するため詰まりを生じ、７ｍｍを超えるとエアーの逆流を防止することが出来ない。上記穴は、圧力損失を少なくするため、設置するプレートで可能な限り多くの数の穴を開けることが好ましく、また、複数サイズの穴を混在させても良い。
【０００９】
上記プレート厚みは、動水圧に耐えられる厚みで極力薄くすることが好ましい。又、上記穴の形状としては、円形、菱形、正方形、長方形、三角形等が挙げられる。
【００１２】
上記スクリーンまたはプレートを配置する位置は、落とし込み部の分岐管内で、管の長手方向に対して垂直になるように配置されていることが好ましい。又、上記スクリーンまたはプレートを設置した落とし込み部の分岐管は、水平レベルを０度として、６０度〜１２０度の範囲で設置されることが好ましく、さらに好ましくは、垂直（９０度）である。垂直より傾けて設置されると、粗いメッシュスクリーンや大きい径の穴を開けたプレートでは、エアーの逆流を防止出来ない場合がある。
【００１３】
また、請求項１記載の発明は、配管用ヘッダーを、その分岐管側を上方にして、住宅の土間コンクリートの上面よりも低い位置に配置すると共に、ヘッダーに接続された分岐管を土間コンクリート上に立ち上げて這うように巡らせて対応する水回り設備に接続し、前記ヘッダー配置位置と同一レベル以下の位置で排水する残水排出機構を、前記ヘッダーに接続した寒冷地住宅用給水配管システムである。
【００１４】
分岐管の接続方法としては、ヘッダーを土間コンクリートレベルより低い位置に設置するため、砲金製部材等を用いてヘッダー本体の分岐口を落とし込み分、延長し、土間コンクリート上へ継手部を持ち出してから接続する方法と、ヘッダー本体位置までパイプを曲げて接続する方法等が挙げられるが、いずれにしても上記条件を満たした方法で施工する必要がある。
【００１５】
（作  用）
ヘッダーの分岐口部もしくは分岐口を延長した部位の内部に、５〜３０メッシュスクリーンまたは１〜７ｍｍの穴を開けたプレートを配置することで、スクリーンまたはプレート部での水の表面張力によりエアーの入れ替わりが出来なくなり、スクリーンまたはプレート以降の配管の水が保持され、エアーが逆流出来なくなる。これにより、水抜きを１水栓毎行い、ヘッダー本体にエアーが入ったとしても、他の水栓に接続されている配管にエアーは逆流せず、各水栓の水抜きを確実に行うことが可能となる。
【００１６】
【発明の実施の形態】
（実施例１）
本発明の寒冷地住宅用給水配管システムを使用した配管イメージを、図３に示した。ヘッダー本体（ＲＨＤ２０−３；積水化学社製）の各分岐接続側に、両ねじ給水管１３×３０（Ｓ４ＡＫ；ミヤコ社製）、砲金ユニオン（Ｍ１５３ＭＮ；ミヤコ社製）、両ねじ給水管１３×３０、砲金エルボ１３（Ｍ１４８ＭＮ；ミヤコ社製）、エスロクイックＭＪ継ぎ手オスねじアダプター１３Ａ（積水化学社製）、架橋ポリエチレン管１３Ａ（商品名「エスロペックス１３Ａ」；積水化学社製）５ｍ、オスねじアダプター１３Ａ（商品名「エスロクイックＭＪ継ぎ手」；積水化学社製）、ボールバルブ１／２（ＭＴ４００；ミヤコ社製）の順で接続し、架橋ポリエチレン管は、サドルバンド１３Ａ（アカギ社製）により浮きがないように固定した。また、一次側は、ＬＸ絶縁メスオスソケット２０Ａ（積水化学社製）、硬質塩化ビニルライニング鋼管２０Ａ（積水化学社製）、水抜栓（ＭＴ−Ａ；竹村製作所社製）を接続し、水中ポンプ（ＣＳＬ−１００；寺田ポンプ製作所社製）により水を供給出来る構成で敷設した。但し、落とし込み分岐管部の角度は、垂直方向に設置した。
【００１７】
尚、上記砲金ユニオン内部には、ＳＵＳ３０４製メッシュスクリーン（５メッシュ、線径０．７５ｍｍ）を挟み込むように配置させた。ここで、ポンプにより水を供給し、配管内に水を満たした後、水抜栓を閉じて排水状態にし、ボールバルブを１栓のみ開けて１０分間放置し、エアーの逆流の有無を確認した。
【００１８】
（実施例２）
ＳＵＳ３０４製メッシュスクリーンの代わりに、ＳＵＳ３０４製プレート（直径１８ｍｍ）に直径７ｍｍの円形穴を４箇所開けたものを挟み込んだ以外は実施例１と同様にした。
【００１９】
（実施例３）
ＳＵＳ３０４製メッシュスクリーン（２５メッシュ、線径０．３５ｍｍ）を挟み込んだ以外は実施例１と同様にした。
【００２０】
（実施例４）
ＳＵＳ３０４製メッシュスクリーンの代わりに、ＳＵＳ３０４製プレート（直径１８ｍｍ）に直径１ｍｍの円形穴を、１２１箇所開けたものを挟み込んだ以外は実施例１と同様にした。
【００２１】
（実施例５）
ＳＵＳ３０４製メッシュスクリーン（１５メッシュ、線径０．４ｍｍ）を挟み込み、落とし込み分岐管を水平に対して８０°に傾けて設置した以外は実施例１と同様にした。
【００２２】
（参考例）
ヘッダー本体（ＲＨＤ２０−３；積水化学社製）の各分岐接続部に、砲金六角ニップル１３Ａ（Ｍ１５４ＭＮ；ミヤコ社製）、砲金エルボ１３Ａ（Ｍ１４８ＭＮ；ミヤコ社製）、砲金六角ニップル１３Ａ（Ｍ１５４ＭＮ；ミヤコ社製）、砲金エルボ１３Ａ（Ｍ１４８ＭＮ；ミヤコ社製）、両ねじ給水管１３×２００（Ｓ４ＡＫ；ミヤコ社製）、砲金エルボ１３（Ｍ１４８ＭＮ；ミヤコ社製）、オスねじアダプター１３Ａ（商品名「エスロクイックＭＪ継ぎ手」；積水化学社製）、架橋ポリエチレン管１３Ａ（商品名「エスロペックス１３Ａ」；積水化学社製）５ｍ、オスねじアダプター１３Ａ（商品名「エスロクイックＭＪ継ぎ手」；積水化学社製）、ボールバルブ１／２（ＭＴ４００；ミヤコ社製）の順で接続し、架橋ポリエチレン管は、サドルバンド１３Ａ（アカギ社製）により浮きがないように固定した。また、一次側は、ＬＸ絶縁メスオスソケット２０Ａ（積水化学社製）、硬質塩化ビニルライニング鋼管２０Ａ（積水化学社製）、水抜栓（ＭＴ−Ａ；竹村製作所社製）を接続し、水中ポンプ（ＣＳＬ−１００；寺田ポンプ製作所社製）により水を供給出来る構成で敷設した。また、これらシステムを使用した配管イメージは、実施例１と同様の内容で行った。
【００２３】
尚、水抜き配管用ヘッダーは、図６で示したように分岐管がヘッダー本体最低面より低い位置から接続されたものを用いた。落とし込み分岐管部の角度は、垂直方向に設置した。ここで、ポンプにより水を供給し、配管内に水を満たした後、水抜栓を閉じて排水状態にし、ボールバルブを１栓のみ開けて１０分間放置し、エアーの逆流の有無を確認した。
【００２４】
（比較例１）
ＳＵＳ３０４製メッシュスクリーン（３５メッシュ、線径０．３ｍｍ）を挟み込んだ以外は実施例１と同様にした。
【００２５】
（比較例２）
ＳＵＳ３０４製メッシュスクリーン（４メッシュ、線径０．８ｍｍ）を挟み込んだ以外は実施例１と同様にした。
【００２６】
（比較例３）
ＳＵＳ３０４製メッシュスクリーンの代わりに、ＳＵＳ３０４製プレート（直径１８ｍｍ）に直径８ｍｍの円形穴を２箇所開けたものを挟み込んだ以外は実施例１と同様にした。
【００２７】
（比較例４）
ヘッダー本体の接続をヘッダー（ＲＨＤ２０−３；積水化学社製）の各分岐接続側に、砲金六角ニップル１３Ａ（Ｍ１５４ＭＮ；ミヤコ社製）、砲金エルボ１３Ａ（Ｍ１４８ＭＮ；ミヤコ社製）、両ねじ給水管１３×１７５（Ｓ４ＡＫ；ミヤコ社製）、砲金エルボ１３（Ｍ１４８ＭＮ；ミヤコ社製）、オスねじアダプター１３Ａ（商品名「エスロクイックＭＪ継ぎ手」；積水化学社製）、架橋ポリエチレン管１３Ａ（商品名「エスロペックス１３Ａ」；積水化学社製）５ｍ、オスねじアダプター１３Ａ（商品名「エスロクイックＭＪ継ぎ手」；積水化学社製）、ボールバルブ１／２（ＭＴ４００；ミヤコ社製）の順で接続し、架橋ポリエチレン管は、サドルバンド１３Ａ（アカギ社製）により浮きがないように固定した。また、一次側は、ＬＸ絶縁メスオスソケット２０Ａ（積水化学社製）、硬質塩化ビニルライニング鋼管２０Ａ（積水化学社製）、水抜栓（ＭＴ−Ａ；竹村製作所社製）を接続し、水中ポンプ（ＣＳＬ−１００；寺田ポンプ製作所社製）により水を供給出来る構成で敷設した。但し、落とし込み分岐管部の角度は、垂直方向に設置した。また、これらシステムを使用した配管イメージは、実施例１と同様の内容で行った。
【００２８】
尚、水抜き配管用ヘッダーは、図７で示したように分岐管がヘッダー本体最低面と同じ位置から接続されたものを用いた。落とし込み分岐管部の角度は、垂直方向に設置した。ここで、ポンプにより水を供給し、配管内に水を満たした後ここで、ポンプにより水を供給し、配管内に水を満たした後、水抜栓を閉じて排水状態にし、ボールバルブを１栓のみ開けて１０分間放置し、エアーの逆流の有無を確認した。
【００２９】
【表１】
0004772227.tif 000002
【００３０】
【発明の効果】
表１から明らかなように実施例１〜５においては、エアーの逆流はなく、残水は認められなかった。比較例１においては配管内の目詰まりが発生し、結果的に残水が認められた。また、比較例２〜４においてはエアーの逆流があり水抜きが出来なかった。
【図面の簡単な説明】
【図１】  本発明の水抜き配管用ヘッダー（請求項１）を示す模式図である。
【図２】  参考例の水抜き配管用ヘッダーを示す模式図である。
【図３】  本発明の寒冷地住宅用給水配管システム（請求項２）を使用した配管の概念図である。
【図４】  実施例１で使用した水抜き配管用ヘッダーのヘッダー部拡大図である。
【図５】  実施例４で使用した水抜き配管用ヘッダーのプレート部拡大図である。
【図６】  参考例で使用した水抜き配管用ヘッダーのヘッダー部拡大図である。
【図７】  比較例４で使用した水抜き配管用ヘッダーのヘッダー部拡大図である。
【符号の説明】
１  ヘッダー部
２  分岐管
３  土間コンクリート
４  ヘッダー最低面
５  残水排出機構
６  水抜き栓
【図１】
0004772227.tif 000003
【図２】
0004772227.tif 000004
【図３】
0004772227.tif 000005
【図４】
0004772227.tif 000006
【図５】
0004772227.tif 000007
【図６】
0004772227.tif 000008
【図７】
0004772227.tif 000009